Podtech/llm-jp-corpus-v4-ja_patent huggingface dataset:
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
ケージ（３）、バルブシート（２）及び複数の閉鎖要素（４）を備える、圧縮機のポペットバルブ（１）であって、前記ケージ（３）は、軸方向（Ａ）に延びる複数のボア（１３）を有し、該ボア（１３）は前記バルブシート（２）に向かって開き、該バルブシート（２）とは反対の端に底部要素（７）を有し、前記軸方向（Ａ）に移動可能な閉鎖要素（４）が各ボア（１３）内に配置され、前記バルブシート（２）は、前記軸方向（Ａ）に前記ボア（１３）に対向して配置される複数の通路開口（１２）を有し、それによって、前記通路開口（１２）のそれぞれを前記閉鎖要素（４）のうちの１つによって閉じることができ、支持要素（８）が前記ボア（１３）のそれぞれに配置され、ばね（５）が、前記バルブシート（２）に向かって方向付けられる予荷重力を前記閉鎖要素（４）に印加するために、各支持要素（８）とそれぞれの前記閉鎖要素（４）との間に配置され、
前記支持要素（８）は、前記ボア（１３）に対して偏心して配置される少なくとも１つの支持要素開口（８ａ）を有すること、並びに、前記底部要素（７）は、前記支持要素（８）及び該底部要素（７）を通って前記軸方向（Ａ）に前記ボア（１３）に対して偏心して配置される通路（１６）を形成するために、前記ボア（１３）に対して偏心して配置される少なくとも１つの底部要素開口（７ａ）を有することを特徴とする、ポペットバルブ。
【請求項２】
前記支持要素開口（８ａ）は、前記支持要素（８）が前記底部要素（７）に載る基部本体（８ｄ）を有するように構成されること、及び、前記基部本体（８ｄ）は、周方向に少なくとも１つの部分（８ｇ）を有し、該部分（８ｇ）に沿って前記支持要素開口（８ａ）を形成するために、前記基部本体（８ｄ）が前記部分（８ｇ）に沿って縮小した直径を有していることを特徴とする、請求項１に記載のポペットバルブ。
【請求項３】
前記基部本体（８ｄ）は、前記周方向に部分（８ｇ）に沿って凹状の形状を有することを特徴とする、請求項２に記載のポペットバルブ。
【請求項４】
前記支持要素（８）は基部本体（８ｄ）を有すること、及び、該基部本体（８ｄ）は前記支持要素開口（８ａ）を形成する少なくとも１つのオリフィスを有することを特徴とする、請求項１に記載のポペットバルブ。
【請求項５】
複数の支持要素開口（８ａ）が前記支持要素（８）の周方向に離間して配置されることを特徴とする、請求項１〜４のいずれか一項に記載のポペットバルブ。
【請求項６】
前記軸方向（Ａ）に延びる前記ばね（５）は外径（５ａ）を有すること、及び、前記支持要素開口（８ａ）はこの外径（５ａ）の外側に配置されることを特徴とする、請求項１〜５のいずれか一項に記載のポペットバルブ。
【請求項７】
前記底部要素（７）は、該底部要素（７）の周方向に離間して配置される複数の底部要素開口（７ａ）を有することを特徴とする、請求項１〜６のいずれか一項に記載のポペットバルブ。
【請求項８】
前記底部要素開口（７ａ）はボアとして構成されることを特徴とする、請求項７に記載のポペットバルブ。
【請求項９】
前記支持要素（８）は、前記ボア（１３）内に移動可能に取り付けられることを特徴とする、請求項１〜８のいずれか一項に記載のポペットバルブ。
【請求項１０】
前記少なくとも１つの底部要素開口（７ａ）及び前記少なくとも１つの支持要素開口（８ａ）は、前記底部要素（７）に対する前記支持要素（８）の全ての可能な位置において、前記支持要素（８）及び前記底部要素（７）を通る開口通路（１６）が形成されるように互いに適合して構成されることを特徴とする、請求項１〜９のいずれか一項に記載のポペットバルブ。
【請求項１１】
前記支持要素（８）は、前記軸方向（Ａ）に対して径方向に振動運動を行うことができるように前記ボア（１３）の壁に対して遊びを有することを特徴とする、請求項１〜１０のいずれか一項に記載のポペットバルブ。
【請求項１２】
前記支持要素（８）はその長手方向軸（Ａ）を中心に回転可能に取り付けられることを特徴とする、請求項１〜１１のいずれか一項に記載のポペットバルブ。
【請求項１３】
前記支持要素（８）は前記ばね（５）の案内要素（８ｃ）を有する、請求項１〜１２のいずれか一項に記載のポペットバルブ。
【請求項１４】
請求項１〜１３のいずれか一項に記載のポペットバルブ（１）を備えるピストン圧縮機。
【請求項１５】
請求項１〜１３のいずれか一項に記載のポペットバルブ（１）の修理キットであって、少なくとも１つの閉鎖要素（４）、及び、偏心して配置される支持要素開口（８ａ）を有する少なくとも１つの支持要素（８）を含む、修理キット。
【手続補正２】
【補正対象書類名】図面
【補正対象項目名】全図
【補正方法】変更
【補正の内容】
【図１】
2015526649.tif 000001
【図２】
2015526649.tif 000002
【図３】
2015526649.tif 000003
【図４】
2015526649.tif 000004
【図５】
2015526649.tif 000005
【図６】
2015526649.tif 000006
【図７】
2015526649.tif 000007
【図８】
2015526649.tif 000008
【図９】
2015526649.tif 000009
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
対象における脂質降下薬を用いた治療の有効性を決定するための方法であって、
（ａ）前記対象由来の試料中の１つまたは複数の脂質の濃度を決定するステップであって、前記試料中の濃度が対照と比較して低下または上昇していることにより前記治療の有効性が高いことが示され、
濃度の低下が対照と比較される１つまたは複数の脂質が、
Ｇｌｃ／ＧａｌＣｅｒ（ｄ１８：１／１６：０）、ＬａｃＣｅｒ（ｄ１８：１／１６：０）、Ｃｅｒ（ｄ１８：１／１６：０）、ＣＥ１６：０、ＣＥ１６：１、ＣＥ１８：１、ＣＥ２０：３、Ｃｅｒ（ｄ１８：０／２２：０）、Ｃｅｒ（ｄ１８：０／２４：０）、Ｃｅｒ（ｄ１８：０／２４：１）、Ｃｅｒ（ｄ１８：１／１８：０）、Ｃｅｒ（ｄ１８：１／２４：０）、Ｃｅｒ（ｄ１８：１／２６：０）、Ｃｅｒ（ｄ１８：１／２６：１）、Ｇｌｃ／ＧａｌＣｅｒ（ｄ１８：１／１８：０）、Ｇｌｃ／ＧａｌＣｅｒ（ｄ１８：１／２０：０）、Ｇｌｃ／ＧａｌＣｅｒ（ｄ１８：１／２２：０）、Ｇｌｃ／ＧａｌＣｅｒ（ｄ１８：１／２４：０）、Ｇｌｃ／ＧａｌＣｅｒ（ｄ１８：１／２４：１）、Ｇｌｃ／ＧａｌＣｅｒ（ｄ１８：１／２６：０）、Ｇｌｃ／ＧａｌＣｅｒ（ｄ１８：１／２６：１）、ＧｌｃＣｅｒ（ｄ１８：１／１６：０）、ＧｌｃＣｅｒ（ｄ１８：１／１８：０）、ＬａｃＣｅｒ（ｄ１８：１／１８：０）、ＬａｃＣｅｒ（ｄ１８：１／２２：０）、ＬａｃＣｅｒ（ｄ１８：１／２４：０）、ＳＭ（ｄ１８：１／１６：０）（ｄ１８：１／１５：１−ＯＨ）、ＴＡＧ６０：１２、総Ｃｅｒ、総Ｇｌｃ／ＧａｌＣｅｒおよび総ＬａｃＣｅｒ
から選択され、
濃度の上昇が対照と比較される１つまたは複数の脂質が、
ＬＰＣ１６：１、スフィンガニンｄ１８：０、スフィンガニン−１−リン酸ｄ１８：０、スフィンゴシンｄ１６：１、スフィンゴシンｄ１８：１、スフィンゴシン−１−リン酸ｄ１８：１、ＴＡＧ４９：２、ＴＡＧ５０：４、ＴＡＧ５２：４、ＴＡＧ５２：５、ＴＡＧ５３：３、ＴＡＧ５４：３、ＴＡＧ５４：４、ＴＡＧ５４：５、ＴＡＧ５４：６、ＴＡＧ５４：７、ＴＡＧ５４：８、ＴＡＧ５６：５、総Ｓ１Ｐ、総ＳＡ１Ｐ、総ＳＰＡおよび総ＳＰＨ
から選択されるステップ、または
（ｂ）前記対象由来の試料中の１つまたは複数の脂質−脂質濃度比を決定するステップであって、前記試料中の脂質−脂質濃度比が対照と比較して減少または増加していることにより前記治療の有効性が高いことが示され、
その減少が対照と比較される１つまたは複数の脂質−脂質濃度比が、
Ｇｌｃ／ＧａｌＣｅｒ（ｄ１８：１／１８：０）／ＴＡＧ５２：４、ＣＥ１８：１／スフィンゴシンｄ１６：１、ＣＥ２２：２／ＳＭ（ｄ１８：１／２３：１）（ｄ１８：１／２２：２−ＯＨ）、ＣＥ２０：３／アポリポタンパク質Ａ−Ｉ（ｍｇ／ｄＬ）、ＣＥ２０：３／ＨＤＬコレステロール（ＥＤＴＡ）（ｍｇ／ｄＬ）、Ｃｅｒ（ｄ１８：０／２２：０）／ＰＣ１６：０／１８：２、Ｃｅｒ（ｄ１８：０／２４：０）／Ｃｅｒ（ｄ１８：１／１８：０）、Ｃｅｒ（ｄ１８：０／２４：０）／スフィンゴシンｄ１６：１、Ｃｅｒ（ｄ１８：０／２４：１）／ＦＣ、Ｃｅｒ（ｄ１８：１／１６：０）／ＳＭ（ｄ１８：１／２３：１）（ｄ１８：１／２２：２−ＯＨ）、Ｃｅｒ（ｄ１８：１／１６：０）／トリグリセリド（ＥＤＴＡ）（ｍｇ／ｄＬ）、Ｃｅｒ（ｄ１８：１／１８：０）／アポリポタンパク質Ｃ−ＩＩＩ（ｍｇ／ｄＬ）、Ｃｅｒ（ｄ１８：１／１８：０）／ＤＡＧ１６：０／１８：１、Ｃｅｒ（ｄ１８：１／１８：０）／ＰＣ１８：０／２２：６、Ｃｅｒ（ｄ１８：１／１８：０）／トリグリセリド（ＥＤＴＡ）（ｍｇ／ｄＬ）、Ｃｅｒ（ｄ１８：１／２４：０）／スフィンゴシンｄ１６：１、Ｇｌｃ／ＧａｌＣｅｒ（ｄ１８：１／１８：０）／ＰＣ１６：０／２０：４、Ｇｌｃ／ＧａｌＣｅｒ（ｄ１８：１／２２：０）／ＬＰＣ２０：４、Ｇｌｃ／ＧａｌＣｅｒ（ｄ１８：１／２４：０）／ＰＣ１６：０／２０：４、Ｇｌｃ／ＧａｌＣｅｒ（ｄ１８：１／２４：０）／スフィンゴシンｄ１６：１、ＧｌｃＣｅｒ（ｄ１８：１／１６：０）／ＳＭ（ｄ１８：１／２３：１）（ｄ１８：１／２２：２−ＯＨ）、ＧｌｃＣｅｒ（ｄ１８：１／１８：０）／ＳＭ（ｄ１８：１／２３：１）（ｄ１８：１／２２：２−ＯＨ）、ＬａｃＣｅｒ（ｄ１８：１／１８：０）／ＳＭ（ｄ１８：１／２３：１）（ｄ１８：１／２２：２−ＯＨ）およびＰＣ１６：０／１６：０／スフィンゴシンｄ１６：１
から選択され、
その増加が対照と比較される１つまたは複数の脂質−脂質濃度比が、
ＴＡＧ５８：１０／ＴＡＧ６０：１２、ＣＥ１８：２／Ｇｌｃ／ＧａｌＣｅｒ（ｄ１８：１／２４：０）、ＣＥ１８：３／Ｇｌｃ／ＧａｌＣｅｒ（ｄ１８：１／２４：０）、ＣＥ２０：３／ＰＣ１６：０／１６：０、ＣＥ２０：４／Ｇｌｃ／ＧａｌＣｅｒ（ｄ１８：１／２４：０）、ＣＥ２０：４／ＳＭ（ｄ１８：１／１６：０）（ｄ１８：１／１５：１−ＯＨ）、ＣＥ２０：５／Ｇｌｃ／ＧａｌＣｅｒ（ｄ１８：１／２４：０）、Ｃｅｒ（ｄ１８：０／２２：０）／Ｃｅｒ（ｄ１８：１／２２：０）、Ｃｅｒ（ｄ１８：０／２４：０）／ＦＣ、Ｃｅｒ（ｄ１８：０／２４：０）／ＰＣ１６：０／１８：２、Ｃｅｒ（ｄ１８：１／１６：０）／Ｇｌｃ／ＧａｌＣｅｒ（ｄ１８：１／１６：０）、Ｃｅｒ（ｄ１８：１／１８：０）／Ｇｌｃ／ＧａｌＣｅｒ（ｄ１８：１／２４：０）、ＬＰＣ１６：１／ＴＡＧ５６：５、ＬＰＣ１８：２／ＬａｃＣｅｒ（ｄ１８：１／１６：０）、ＬＰＣ１８：２／ＳＭ（ｄ１８：１／１６：０）（ｄ１８：１／１５：１−ＯＨ）およびＰＣ１８：２／１８：２／ＳＭ（ｄ１８：１／１６：０）（ｄ１８：１／１５：１−ＯＨ）
から選択されるステップ
を含む方法。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
デュワー瓶（１）の内部の冷却液（９）を汲み上げるためのポンプ（１５）であって、
流入口（１９）および流出口（２１）を備えたチャンバ（１７）と、
閉鎖要素（２３）と、
圧力上昇装置（２５）と、を有し、
前記チャンバ（１７）の前記流入口（１９）は、前記デュワー瓶（１）のタンク（３）に接続可能であり、
前記チャンバ（１７）の前記流出口（２１）は、前記デュワー瓶（１）の標本容器（１１）に接続可能であり、
前記チャンバ（１７）は、重力によって前記流入口（１９）を通った冷却液（９）で満たされるように適応し、
前記閉鎖要素（２３）は、前記チャンバ（１７）が前記冷却液（９）で満たされた時に、自動的に前記チャンバ（１７）を閉鎖するように適応し、
前記圧力上昇装置（２５）は、前記チャンバ（１７）が冷却液で満たされた後、前記冷却液（９）が前記流出口（２１）を通って放出されるまで、前記チャンバ（１７）の内部の圧力を上昇させるように適応しているポンプ（１５）。
【請求項２】
前記圧力上昇装置（２５）は、抵抗器（２７）であり、
前記抵抗器（２７）は、前記冷却液（９）の一部を気化させることによって前記チャンバ（１７）の内部の圧力を上昇させるように適応している請求項１に記載のポンプ（１５）。
【請求項３】
さらに、制御装置（３５）を有し、
前記制御装置（３５）は、前記チャンバ（１７）の中の充填液位を測定するように適応し、
前記制御装置（３５）は、前記チャンバ（１７）の中で測定された前記充填液位が予め決定可能なある充填液位の値に到達した後に、前記圧力上昇装置（２５）を作動させるように適応し、および／または、
前記制御装置（３５）は、予め決定された時間の間、予め決定された時間間隔で前記圧力上昇装置（２５）を作動させるように適応している請求項１または２に記載のポンプ（１５）。
【請求項４】
さらに、充填液位センサ（３７）を有し、
前記充填液位センサ（３７）は、前記チャンバ（１７）の中の前記充填液位を測定し、前記充填液位を前記制御装置（３５）に送信するように適応している請求項３に記載のポンプ（１５）。
【請求項５】
さらに、前記流出口（２１）に配置された逆止弁（３９）を有し、
前記逆止弁（３９）は、前記チャンバ（１７）の内部が予め定義された圧力に到達した後に開くように適応している請求項１〜４のいずれか１項に記載のポンプ（１５）。
【請求項６】
さらに、前記流出口（２１）に配置された制限器（４１）を有し、
前記制限器（４１）は、前記チャンバ（１７）の内部に圧力がかかっている間に、前記流出口（２１）を通る冷却液（９）の流れを制限するように適応している請求項１〜５のいずれか１項に記載のポンプ（１５）。
【請求項７】
冷却液（９）の中に標本を貯蔵するためのデュワー瓶（１）であって、
前記冷却液（９）のための断熱タンク（３）と、
前記断熱タンク（３）の中に配置された標本容器（１１）と、を有し、 
前記断熱タンク（３）は、前記標本容器（１１）とは別に設けられ、
前記断熱タンク（３）は、前記標本容器（１１）の中の冷却液（９）の液位が一定になる方法で、前記標本容器（１１）と接続されるデュワー瓶（１）。
【請求項８】
さらに、前記標本容器（１１）にアクセスするための開口（１３）を有し、
前記標本容器（１１）は、前記開口（１３）の付近に配置される請求項７に記載のデュワー瓶（１）。
【請求項９】
さらに、請求項１〜６のいずれか１項に記載のポンプ（１５）を有し、
前記ポンプ（１５）は、前記断熱タンク（３）の中に配置され、
前記ポンプ（１５）は、冷却液（９）を前記断熱タンク（３）から前記標本容器（１１）まで継続的に運ぶように適応している請求項７または８に記載のデュワー瓶（１）。
【請求項１０】
前記ポンプ（１５）は、前記断熱タンク（３）の中の前記冷却液（９）の液面下に配置され、
前記ポンプ（１５）の流出口（２１）は、ライン（３１）を介して前記標本容器（１１）に接続される請求項９に記載のデュワー瓶（１）。
【請求項１１】
さらに、氷を濾過するための粒子フィルタ（３３）を有し、
前記粒子フィルタ（３３）は、前記ポンプ（１５）の流入口（１９）に配置される請求項７〜１０のいずれか１項に記載のデュワー瓶（１）。
【請求項１２】
さらに、氷排出ポート（４３）を有し、
前記氷排出ポート（４３）は、前記標本容器（１１）の底（４５）に設けられ、
前記氷排出ポート（４３）は、前記標本容器（１１）の前記底（４５）に蓄積した氷を前記断熱タンク（３）の中に放出するように適応している請求項７〜１１のいずれか１項に記載のデュワー瓶（１）。
【請求項１３】
前記氷排出ポート（４３）の位置に一方向弁（４７）が配置され、
前記一方向弁（４７）は、前記標本容器（１１）の前記底（４５）に予め決定された量の氷が蓄積した時に開くように適応し、および／または、
前記一方向弁（４７）は、予め決定された時間の後に開くように適応している請求項１２に記載のデュワー瓶（１）。
【請求項１４】
流入口（１９）および流出口（２１）を備え、前記流入口（１９）を通って重力によって満たされるように適応しているチャンバ（１７）を準備し、
前記チャンバ（１７）が冷却液（９）で満たされた時に、自動的に前記チャンバ（１７）を閉鎖するように適応している閉鎖要素（２３）を前記チャンバ（１７）の中に配置し、
前記チャンバ（１７）が閉鎖された後、流体が前記流出口（２１）を通って放出されるまで、前記チャンバ（１７）の内部の圧力を上昇させるように適応している圧力上昇装置（２５）を前記チャンバ（１７）に接続することを含む請求項１〜６のいずれか１項に記載のポンプ（１５）を製作する方法。
【請求項１５】
冷却液（９）のための断熱タンク（３）を準備し、
前記断熱タンク（３）とは別に標本容器（１１）を準備し、
前記断熱タンク（３）の内部に前記標本容器（１１）を配置し、
前記標本容器（１１）の中の冷却液（９）の液位が一定に保たれる方法で、前記断熱タンク（３）を前記標本容器（１１）と接続することを含む請求項７〜１３のいずれか１項に記載のデュワー瓶（１）を製作する方法。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
媒体導管を差込み接続するための受容部（６）と、ハウジング部（２）を任意の装置またはその他の媒体導管に接続するための接続部（８）の二つの部分からなる、ハウジング部（２）から構成され、
接続部（８）は金属で構成され、プラスチックで構成された受容部（６）と、同軸回転対称差込み継手（２４）を介し、相補係合かつ周方向に閉じた曲線で接続され、
接続部（８）は差込み部（２６）によって受容部（６）の差込み受部（２８）内に差し込まれ、
差込み部（２６）は半径方向外向きに突き出した係止段（３０）によって、差込み受部（２８）内に設けられた半径方向のアンダーカット面（３２）に後方から当接して相補係合している媒体導管用の接続装置（１）であって、
受容部（６）は、差込み継手（２４）の差込み軸（Ｘ）と同軸の、軸方向に突き出した環状凸部（３４）を有し、該環状凸部は、案内するために、接続部（８）内に形成された対応する凹部（３６）に摩擦係合することを特徴とする接続装置。
【請求項２】
差込み継手（２４）は、
差込み継合わせプロセスの間に、接続部（８）の差込み部（２６）の、係止段（３０）を有する半径方向外側の環状縁（３８）を介して、
受容部（６）の差込み受部（２８）の内部領域が、所要の直径拡張百分率Ｅｄ（Ｅｄ＝（ｄａ−ｄｉ）／ｄｉであり、ｄａは環状縁（３８）の外径であり、ｄｉは差込み受部（２８）の最小内径である）だけ、詳しく言うと、好ましくは、使用されるプラスチック材料の伸び率未満、特に５から７％だけ、弾性拡張されるように、設計されていることを特徴とする、請求項１に記載の接続装置。
【請求項３】
受容部（６）の環状凸部（３４）は、該環状凸部の自由端の少なくとも半径方向外側に挿入斜面（４０）を有し、
差込み継合わせプロセスの間に、半径方向に拡張された受容部（６）の環状凸部（３４）が、接続部（８）内に形成された対応する凹部（３６）に挿入可能であることを特徴とする、請求項２に記載の接続装置。
【請求項４】
接続部（８）の差込み部（２６）と受容部（６）の差込み受部（２８）との間の環状隙間は弾性周回シール（４２）を介して外部に対して封止されていることを特徴とする、請求項１から３のいずれか一項に記載の接続装置。
【請求項５】
周回シール（４２）は、接続部（８）の円筒状外周面（４６）と該外周面から半径方向外側に向かって突き出した段面（４８）とを一方とし、受容部（６）の円筒状内周面（５０）と該内周面から半径方向内側に向かって突き出した段面（５２）とを他方とした両者の間に形成されたシーリングチャンバ（４４）内に配置されていることを特徴とする、請求項４に記載の接続装置。
【請求項６】
接続部（８）の差込み部（２６）は、端部外側に面取り状の、係止段（３０）に前置された挿入斜面（５４）を有することを特徴とする、請求項１から５のいずれか一項に記載の接続装置。
【請求項７】
受容部（６）の差込み受部（２８）内には、スロート部（５６）が形成され、該スロート部は、一端がアンダーカット面（３２）に移行し、他端が前置された挿入斜面（５８）を有することを特徴とする、請求項１から６のいずれか一項に記載の接続装置。
【請求項８】
受容部（６）は、繊維強化プラスチックで構成され、
少なくとも差込み受部（２８）の領域には、拡張方向に対して横向きの、軸方向に繊維配向が存在することを特徴とする、請求項１から７のいずれか一項に記載の接続装置。
【請求項９】
接続部（８）の差込み部（２６）は、組み合わされた状態において、半径方向の応力除去がされて、受容部（６）の差込み受部（２８）内に配置されていることを特徴とする、請求項１から８のいずれか一項に記載の接続装置。
【請求項１０】
ハウジング部（２）を構成する部品（６，８）の少なくとも一方、特に受容部（６）、はエルボとして形成され、
受容部（６）は接続部（８）に対して差込み軸（Ｘ）周りに回転可能であることを特徴とする、請求項１から９のいずれか一項に記載の接続装置。
【請求項１１】
組み合わされた状態において、
ハウジング部（２）を構成する部品（６，８）が、前記エルボの特定の配向角度で、差込み軸（Ｘ）周りの相対回転することを防止する、および／または軸方向に相対運動することを防止する手段によって特徴づけられている、請求項１０に記載の接続装置。
【請求項１２】
回転防止手段としてのクリップ要素（６２）が、接続部（８）と受容部（６）との間の連結領域に外側から取り付けられている、または取り付け可能であり、
クリップ要素（６２）は、一方で受容部（６）に設けられた外歯形（６４）に相補係合し、他方で接続部（８）の六角部（２０）を相補係合して外被することを特徴とする、請求項１１に記載の接続装置。
【請求項１３】
クリップ要素（６２）は、少なくとも半径方向の安全部分（７４）により、
軸方向において受容部（６）と接続部（８）との間に形成された周回隙間（７６）に係合することを特徴とする、請求項１２に記載の接続装置。
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
対象物を保持する留め具において、
該留め具をアセンブリに固定するアンカー部と、
内部に前記対象物を保持するポケットを形成する保持部と、
前記ポケット内に突出し、前記対象物が前記ポケット内で回転する際に前記ポケットに保持された前記対象物の表面材料を変形させる突出部と、
前記突出部に隣接すると共に、前記対象物が前記ポケット内で回転する際に前記突出部により変形させられた前記対象物の変形材料を収容するように位置づけられた凹部とを具備する留め具。
【請求項２】
チューブ組立体において、
露出した表面材料を有するチューブと、
前記チューブを保持する留め具とを具備し、
前記留め具が、該留め具を対象物に固定するアンカー部と、
内部に前記チューブを保持するポケットを形成する保持部と、
前記ポケットの内部に突出し、前記チューブが回転する際に前記ポケットに保持された前記チューブを変形させる突出部と、
前記突出部に隣接し、前記管が前記ポケット内で回転する際に前記突出部により変形させられた前記チューブの変形材料を収容するように位置づけられた凹部とを含んでいるチューブ組立体。
【請求項３】
表面に露出した柔軟性材料を有したチューブを保持するチューブ留め具において、
該チューブ留め具をアセンブリに固定するアンカー部と、
内部に前記チューブを保持するポケットを形成する保持部と、
前記ポケット内に延在し、前記管が前記ポケット内で回転する際に前記チューブの表面に露出した前記柔軟性材料を変形させる返し部と、
前記返し部に隣接し、前記管が前記ポケット内で回転する際に前記返し部により変形させられた前記柔軟性材料の変形部を収容するように位置づけられた凹部とを備えるチューブ留め具。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
医療デバイスの使用履歴をモニタするデータ収集デバイスであって、前記医療デバイスが、該デバイスにおける故障を検出するセルフテスト回路を持ち、前記収集デバイスは、
環境データを集めるよう動作可能な環境センサと、
前記医療デバイスと通信するメモリであって、前記医療デバイスからの動作データを記録し、前記環境センサからの環境データを記録するよう動作可能である、メモリと、
前記環境データ及び前記動作データを送信するよう動作可能な無線トランシーバと、
前記環境センサ、前記メモリ及び前記トランシーバと通信し、前記医療デバイスにおいて、故障が検出される前に、前記環境データ及び前記動作データを送信するよう動作可能なコントローラとを有する、データ収集デバイス。
【請求項２】
前記無線トランシーバが更に、保守ルーチンを修正するための命令を受信するよう動作可能であり、
前記コントローラは更に、前記医療デバイスに前記命令を通信するよう動作可能である、請求項１に記載のデータ収集デバイス。
【請求項３】
前記コントローラと通信するユーザ出力部を更に有し、前記ユーザ出力部が、前記命令に対応する予防的保守フィードバックを提供するよう動作可能である、請求項１に記載のデータ収集デバイス。
【請求項４】
前記医療デバイスから独立している電源を更に有する、請求項１に記載のデータ収集デバイス。
【請求項５】
前記動作データが、ボタンプッシュ、ハードウェアログ、ソフトウェアログ、電力変動、充電時間又は重要な患者のパラメータデータである、請求項１に記載のデータ収集デバイス。
【請求項６】
前記環境データが、温度、湿度、濃縮、ショック、振動又は位置データである、請求項１に記載のデータ収集デバイス。
【請求項７】
医療デバイスの使用履歴をモニタするシステムであって、前記医療デバイスが、該デバイスにおける故障を検出するセルフテスト回路を持ち、前記システムは、
前記医療デバイスと共に配置されるデータ収集デバイスであって、環境データを集めるよう動作可能な環境センサと、前記医療デバイスと通信するメモリであって、前記医療デバイスからの動作データを記録し、前記環境センサからの環境データを記録するよう動作可能である、メモリと、前記環境データ及び前記動作データを送信するよう動作可能な無線トランシーバと、前記環境センサ、前記メモリ及び前記トランシーバと通信し、前記医療デバイスにおいて、故障が検出される前に、前記環境データ及び前記動作データを送信するよう動作可能なコントローラとを含むデータ収集デバイスと、
前記データ収集デバイスから離れており、前記トランシーバと通信して前記環境データ及び前記動作データを受信し、及び格納する第２のメモリと、
前記第２のメモリと通信し、予言的な保守モデルに対して前記環境データ及び前記動作データを比較し、前記比較に基づき、前記医療デバイスの故障までの時間を予測するよう動作可能な中央コンピュータとを有する、システム。
【請求項８】
前記中央コンピュータが更に、前記予測に基づき、前記データ収集デバイスに警報を送信するよう動作可能である、請求項７に記載のシステム。
【請求項９】
前記データ収集デバイスが、前記医療デバイスと通信し、前記警報に基づき、前記セルフテスト回路において、パラメータを調整する、請求項８に記載のシステム。
【請求項１０】
前記データ収集デバイスが更に、前記警報に基づき、予防的保守フィードバックを提供するよう動作可能なユーザ出力部を有する、請求項８に記載のシステム。
【請求項１１】
前記予防的保守フィードバックが、前記医療デバイスの予防的保守プロトコルを変えるための命令を有する、請求項１０に記載のシステム。
【請求項１２】
前記予防的保守フィードバックが、前記医療デバイスをサービスから外すための命令を有する、請求項１１に記載のシステム。
【請求項１３】
請求項７に記載の複数の医療デバイスと共に配置される請求項７に記載の複数のデータ収集デバイスを更に有し、
前記第２のメモリが、各々の前記データ収集デバイスから受信される環境データ及び動作データのセットを受信し、及び格納し、
前記中央コンピュータは、前記セットに基づき、前記予言的な保守モデルを調整するよう動作可能である、請求項７に記載のシステム。
【請求項１４】
前記中央コンピュータが更に、前記比較に基づき、前記医療デバイス動作環境を特徴づけるよう動作可能である、請求項７に記載のシステム。
【請求項１５】
医療デバイスの使用履歴をモニタする方法において、
前記医療デバイス位置で動作データ及び環境データを集めるよう動作可能な医療デバイスを提供するステップと、
前記医療デバイス位置で前記動作データ及び環境データを集めるステップと、
前記動作データ及び前記環境データと所定の予言的な保守モデルとを比較するステップと、
前記比較ステップに基づき、前記医療デバイスの動作状態を変更するステップとを有する、方法。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
造影剤を使用する磁気共鳴撮像システムにおいて、
被験者の撮像領域において磁気共鳴を励起する磁気共鳴スキャナであって、前記撮像領域から磁気共鳴信号を取得する無線周波数受信器を含む、磁気共鳴スキャナ、
磁気共鳴を励起し、前記被験者の前記撮像領域から磁気共鳴信号を取得するように、前記磁気共鳴スキャナを制御するシーケンス制御ユニット、
前記無線周波数受信器により受信されるｋ空間の中心部における磁気共鳴信号の強度の変化に基づいて、前記被験者の撮像領域に存在する前記造影剤のベースラインに対する濃度の変化を決定するサンプリングユニット、及び
ｋ空間の前記中心部を完全にサンプリングする及びｋ空間の周辺部を部分的にサンプリングするように、前記磁気共鳴スキャナを制御し、完全にサンプリングされるｋ空間の比率を調節するように、前記シーケンス制御ユニットを制御する制御ユニット
を有する、磁気共鳴撮像システム。
【請求項２】
前記サンプリングユニットは、ｋ空間の前記中心部における１つ以上の中心のデータ線の変化の速さを決定する、請求項１に記載のシステム。
【請求項３】
前記サンプリングユニットは、ｋ空間の前記中心部における前記受信された磁気共鳴信号の連続するサンプリングにおける強度の間の差を決定する、請求項１及び２の何れか一項に記載のシステム。
【請求項４】
前記制御ユニットは、ｋ空間の前記中心部における前記磁気共鳴信号の強度の増大に応答して、ｋ空間の前記中心部を減少させる及びｋ空間のっ前記周辺部を増大させるように前記磁気共鳴スキャナにより印加される勾配場を調節する、並びにｋ空間の前記中心部における前記磁気共鳴信号の強度の減少に応答して、ｋ空間の前記中心部を増大させる及びｋ空間の前記周辺部を減少させるように前記勾配場を調節する、請求項１乃至３の何れか一項に記載のシステム。
【請求項５】
前記制御ユニットは、ｋ空間の前記中心部における前記受信された磁気共鳴信号の強度の増大を決定する前記サンプリングユニットに応答して、ｋ空間がサンプリングされる完全性を減少させる、請求項１乃至４の何れか一項に記載のシステム。
【請求項６】
ｋ空間の前記中心部及びｋ空間の前記周辺部のサンプリングの順番は、ｋ空間の前記中心部における前記受信された磁気共鳴信号の強度の変化に応答して変化する、請求項１乃至５の何れか一項に記載のシステム。
【請求項７】
ｋ空間の前記周辺部のサンプリングの頻度は、ｋ空間の前記中心部における前記受信された磁気共鳴信号の強度の変化に応答して変化する、請求項１乃至６の何れか一項に記載のシステム。
【請求項８】
ｋ空間の前記中心部にある複数のデータ線は、ｋ空間の前記中心部における前記受信された磁気共鳴信号の強度の変化に応答して変化する、請求項１乃至７の何れか一項に記載のシステム。
【請求項９】
前記被験者の撮像領域の一連の画像を再構成する再構成処理器であり、前記再構成処理器は、ｋ空間の前記中心部における前記受信された磁気共鳴信号の強度の変化の速さが増大する場合に、前記画像の時間分解能を増大する及び空間分解能を減少し、並びにｋ空間の前記中心部における前記受信された磁気共鳴信号の強度の変化の速さが減少する場合に、前記画像の前記時間分解能を減少する及び前記空間分解能を増大する、再構成処理器
をさらに有する、請求項１乃至８の何れか一項に記載のシステム。
【請求項１０】
前記信号制御ユニットが、造影剤が注入されている被験者の撮像領域に共鳴を励起させ、
（ａ）ｋ空間の前記中心部を完全にサンプリングする、及び
（ｂ）ｋ空間の前記周辺部を部分的にサンプリング
ことを交互に行い、
再構成ユニットが、ｋ空間の各中心部並びにｋ空間の先行及び後続する周辺部を一連の再構成画像に再構成する、
請求項１乃至９の何れか一項に記載のシステム。
【請求項１１】
磁気共鳴を励起し、ｋ空間の中心領域を完全にサンプリングする及びｋ空間の周辺領域を部分的にサンプリングするように被験者の撮像領域から磁気共鳴信号を取得するように磁気共鳴スキャナを制御するステップ、
ｋ空間の前記中心領域において取得された前記磁気共鳴信号の強度の変化に基づいて、前記被験者の撮像領域に存在する造影剤のベースラインに対する濃度の変化を決定するステップ、及び
前記決定された造影剤の濃度の変化に基づいて、完全にサンプリングされるｋ空間の比率を調節するステップ、
を有する造影剤を用いた磁気共鳴撮像方法。
【請求項１２】
請求項１１に記載の方法において、
前記濃度の変化は、ｋ空間の前記中心領域において取得された前記磁気共鳴信号の強度の変化の速さを決定することを含み、及び
完全にサンプリングされるｋ空間の比率を調節するステップは、ｋ空間の前記中心領域において取得された前記磁気共鳴信号の強度の変化の速さの増大を決定することに応答して、ｋ空間の前記中心領域の大きさを減少させることを含み、並びに
前記方法はさらに、
前記被験者の撮像領域の一連の画像を再構成するステップであり、前記造影剤の濃度の変化の速さが増大するとき、前記画像の時間分可能を増大する及び空間分解能を減少し、並びに前記造影剤の濃度の変化の速さ減少するとき、前記時間分解能を減少する及び前記空間分解能を増大することを含む、再構成するステップ
を有する方法。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
磁気共鳴イメージングシステムであって、
画像中の静磁場Ｂ０に対するマジックアングル配向を描く少なくとも一つの視覚インジケータを前記画像に加える角度インジケータモジュールであって、前記画像は前記Ｂ０場において受信される磁気共鳴データから再構成される、角度インジケータモジュールと、
前記視覚インジケータとともに前記画像を表示する表示装置と
を有する、磁気共鳴イメージングシステム。
【請求項２】
前記少なくとも一つの視覚インジケータが幾何学的形状と数値表現の少なくとも一つを含む、請求項１に記載のシステム。
【請求項３】
前記少なくとも一つの視覚インジケータが、前記磁気共鳴イメージングシステムのユーザからの入力に応答してサイズ変更可能及び／又は再配置可能である、請求項１及び２のいずれか一項に記載のシステム。
【請求項４】
前記少なくとも一つの視覚インジケータがマジックアングルアーチファクトの尤度の表示を含む、請求項１乃至３のいずれか一項に記載のシステム。
【請求項５】
前記マジックアングルアーチファクトの尤度の表示が前記視覚インジケータの色及び数値表示の少なくとも一つを含む、請求項１乃至４のいずれか一項に記載のシステム。
【請求項６】
医療関係者が線の少なくとも二点を示す少なくとも一つの入力装置をさらに含み、
前記少なくとも一つの視覚インジケータが前記線に沿って前記マジックアングルアーチファクトの尤度を示す、請求項１乃至５のいずれか一項に記載のシステム。
【請求項７】
前記システムが前記少なくとも一つの視覚インジケータの少なくとも一つの表現を記憶するメモリを有し、前記角度インジケータモジュールが前記画像に前記少なくとも一つの視覚インジケータを加えるために前記メモリから前記少なくとも一つの視覚インジケータの表現を読み出す、請求項１乃至６のいずれか一項に記載のシステム。
【請求項８】
前記少なくとも一つの視覚インジケータが前記Ｂ０場に対してａｒｃｃｏｓ（１／√３）の角度を定義する、請求項１乃至７のいずれか一項に記載のシステム。
【請求項９】
前記少なくとも一つの視覚インジケータが線及び楕円の少なくとも一つを含む、請求項１乃至８のいずれか一項に記載のシステム。
【請求項１０】
前記少なくとも一つの視覚インジケータが、
前記Ｂ０場の方向を示す矢印を持つ点線と、
前記点線に対しａｒｃｃｏｓ（１／√３）の角度で同じ点において前記矢印と交差する二本の線と
を含む、請求項１乃至９のいずれか一項に記載のシステム。
【請求項１１】
静磁場Ｂ０で磁気共鳴データから再構成される少なくとも一つの画像を受信するステップと、
一つ以上の電子データ処理装置が前記Ｂ０場と前記画像に対するマジックアングル配向を描く少なくとも一つの視覚インジケータを前記少なくとも一つの画像に加えるステップと、
前記少なくとも一つの視覚インジケータとともに前記画像を表示装置上に表示するステップと
を有する、磁気共鳴イメージングの方法。
【請求項１２】
磁気共鳴イメージングシステムのユーザからの入力に応答して前記少なくとも一つの視覚インジケータをサイズ変更及び／又は再配置するステップをさらに含む、請求項１１に記載の方法。
【請求項１３】
前記少なくとも一つの視覚インジケータがマジックアングルアーチファクトの尤度の表示を含む、請求項１１及び１２にいずれか一項に記載の方法。
【請求項１４】
前記表示装置上に線の少なくとも二点を示すユーザ入力を少なくとも一つの入力装置を介して受信するステップと、
前記線がマジックアングルを近似する尤度と対応するように色、形状、及び数値表示の少なくとも一つによって前記少なくとも一つの視覚インジケータを変更するステップと
をさらに含む、請求項１１乃至１３のいずれか一項に記載の方法。
【請求項１５】
前記少なくとも一つの視覚インジケータが各々表示された画像スライスに含まれる、請求項１１乃至１４のいずれか一項に記載の方法。
【請求項１６】
前記マジックアングルアーチファクトの尤度の局在を示すように前記少なくとも一つの視覚インジケータの一部を変更するステップをさらに含む、請求項１１乃至１５のいずれか一項に記載の方法。
【請求項１７】
前記少なくとも一つの視覚インジケータが線及び楕円の少なくとも一つを含む、請求項１１乃至１６のいずれか一項に記載の方法。
【請求項１８】
請求項１１乃至１７のいずれか一項に記載の方法を実行するように前記一つ以上の電子データ処理装置を制御するソフトウェアを有する非一時的コンピュータ可読記憶媒体。
【請求項１９】
請求項１１乃至１７のいずれか一項に記載の方法を実行するように構成される電子データ処理装置。
【請求項２０】
磁気共鳴イメージングシステムであって、
静磁場Ｂ０において磁気共鳴データから再構成される画像を受信し、
前記Ｂ０場に対するａｒｃｃｏｓ（１／√３）の角度を描く少なくとも一つの視覚インジケータを前記画像に加えるように構成される一つ以上のプロセッサと、
前記少なくとも一つの視覚インジケータとともに前記画像を表示する表示装置と
を有する、磁気共鳴イメージングシステム。
【手続補正書】
【提出日】平成28年8月15日(2016.8.15)
【手続補正１】
【補正対象書類名】明細書
【補正対象項目名】発明の名称
【補正方法】変更
【補正の内容】
【発明の名称】気道保護システム
【手続補正２】
【補正対象書類名】特許請求の範囲
【補正対象項目名】全文
【補正方法】変更
【補正の内容】
【特許請求の範囲】
【請求項１】
患者の気道を保護するための気道保護システムであって、
前記患者の咳や嚥下の試行に関する情報を伝達するように構成された筋肉監視装置と、
前記筋肉監視装置によって伝達される情報を分析して前記患者の咳や嚥下の試行を同定するように構成された少なくとも一つの電子機器と、
前記患者の咳や嚥下の試行を示す電子機器に反応して前記患者の首に電気刺激を印加するように構成された信号発生器とを有し、
前記信号発生器は、振幅又は周波数の少なくとも一つのゼロでない値を経時的に変化させるように構成され、前記印加する電気刺激は前記患者の効果的な咳や嚥下を誘発するように作動することを特徴とするシステム。
【請求項２】
請求項１に記載のシステムであって、前記患者の咳や嚥下の試行に関して前記患者の音声情報を伝達するように構成された音声監視装置を更に有し、前記電子機器は更に、前記音声監視装置によって伝達された情報を分析して、前記患者の咳や嚥下の試行を同定するように構成されていることを特徴とするシステム。
【請求項３】
請求項１又は２に記載のシステムであって、前記筋肉監視装置は、前記患者の皮膚に位置決めでき、筋電情報を取得し、前記信号発生器から身体へ信号を送信するように構成される少なくとも二つの電極を有することを特徴とするシステム。
【請求項４】
請求項２に記載のシステムであって、前記音声監視装置は、前記患者の身体から発する音声情報を取得するように位置決めされた第一のマイクロフォンを備えることを特徴とするシステム。
【請求項５】
請求項１に記載のシステムであって、前記少なくとも一つの電子機器は情報を分析する少なくとも一つのコンピュータプロセッサであり、前記電子機器は更に、前記音声情報と共に筋電情報を分析して咳や嚥下の試行を同定するように構成され、前記少なくとも一つのコンピュータプロセッサは、前記信号発生器からの信号を少なくとも二つの電極に送信し、前記分析結果が前記患者の咳や嚥下の試行を示す場合、前記電気刺激を前記患者の首に印加するように構成されるシステム。
【請求項６】
請求項４に記載のシステムであって、前記患者の身体の外側から周囲の音声情報を取得するように構成された第二のマイクロフォンを更に備え、前記電子機器は更に、前記第一のマイクロフォンによって収集された音声情報内に存在する身体の外側からの音声情報であって第二のマイクロフォンによって収集される音声情報を低減するように構成されることを特徴とするシステム。
【請求項７】
請求項６に記載のシステムであって、前記第一のマイクロフォンは少なくとも前記二つの電極の少なくとも一つに取り付けられることを特徴とするシステム。
【請求項８】
請求項６に記載のシステムであって、前記第一及び第二のマイクロフォンは単一の双方向マイクロフォン内に一体に構成されることを特徴とするシステム。
【請求項９】
請求項８に記載のシステムであって、前記双方向マイクロフォンは少なくとも前記二つ電極の少なくとも一つに接続されることを特徴とするシステム。
【請求項１０】
請求項１又は２に記載のシステムであって、前記信号発生器は前記周波数を変化させ、少なくとも約４Ｈｚから約３０Ｈｚの間で掃引させることを特徴とするシステム。
【請求項１１】
請求項１又は２に記載のシステムであって、前記信号発生器は前記患者が嚥下しようとする前に電気刺激を印加し、又患者が嚥下しようとした後、又は嚥下した後は約１ミリ秒〜０．５秒の間で電気刺激を印加することを特徴とするシステム。
【請求項１２】
請求項１又は２に記載のシステムであって、前記筋肉監視装置による筋肉の監視はＥＭＧを使用して行われ、前記電気信号発生器による電気刺激はＥＭＧの実質的な増加の後に印加することを特徴とするシステム。
【請求項１３】
請求項１又は２に記載のシステムであって、前記筋肉監視装置による筋肉の監視工程には、前記電気刺激の印加を開始するように作動する少なくとも一つの電子機器でＥＭＧ情報を分析する工程を含むことを特徴とするシステム。
【請求項１４】
請求項１又は２に記載のシステムであって、前記少なくとも一つの電子機器は、前記患者が嚥下や咳が切迫していることを示す情報を入力する入力手段を有することを特徴とするシステム。
【請求項１５】
請求項１又は２に記載のシステムであって、前記少なくとも一つの電子機器は、情報を分析して前記電気刺激の印加を開始するように作動する少なくとも一つのコンピュータプロセッサであることを特徴とするシステム。
【手続補正書】
【提出日】平成28年8月17日(2016.8.17)
【手続補正１】
【補正対象書類名】明細書
【補正対象項目名】０１９０
【補正方法】変更
【補正の内容】
【０１９０】
本開示の様々な特徴及び態様が以下の特許請求の範囲において記載される。本発明の実施態様の一部を以下の項目［１］−［１５］に記載する。
[１]
医療用物品固定システムと共に使用するためのインディシアであって、前記インディシアは、医療用物品の表示を備え、それにより、前記インディシアは、前記医療用物品の外観を模倣するとともに、前記医療用物品を前記医療用物品固定システムに連結するための視覚的キューを提供する、インディシア。
[２]
医療用物品固定システムであって、
前記システムは、医療用物品を受容するように構成されたブラケットを備え、
前記ブラケットは、インディシアを備え、
前記インディシアは、医療用物品の外観を模倣するとともに、前記医療用物品を前記ブラケットに連結するための視覚的キューを提供する、医療用物品の表示を備える、システム。
[３]
前記インディシアは、前記ブラケットに対する前記医療用物品の向きを画定する、項目２に記載のシステム。
[４]
前記インディシアは、前記ブラケットと一体的に形成されている、項目２又は３に記載のシステム。
[５]
前記ブラケット及び前記インディシアは、一緒に型成形され、前記インディシアは、前記ブラケットの残部の少なくとも一部分とは異なる少なくとも１つの光学特性を有する、項目４に記載のシステム。
[６]
前記ブラケット及び前記インディシアは、共射出成形されている、項目５に記載のシステム。
[７]
前記ブラケットは、基部を含み、
前記基部は、縦軸と、前記医療用物品の少なくとも一部分を受容するように構成された第１の主面と、前記基部に連結され、前記基部から上方へ前記基部の第１の主面に対して概ね垂直な方向に延在するポスト、及び前記基部に連結され、前記基部の第１の主面と概ね平行に延在するアームのうちの少なくとも１つと、を有し、
前記ポストは、前記医療用物品が前記ブラケットに連結されているときに前記医療用物品の少なくとも縦方向の移動を抑制するように配置されており、
前記アームは、前記医療用物品の少なくとも一部分を受容するように寸法決めされたチャネルを前記アームの下に画定するために前記基部の第１の主面から或る距離だけ離間して配置されており、
前記アームは、前記医療用物品が前記システムに連結されているときに少なくとも前記基部の第１の主面に概ね垂直な方向における前記医療用物品の移動を抑制するように構成されている、項目２〜６のうちのいずれかに記載のシステム。
[８]
医療用物品を医療用物品固定システムに連結する方法であって、
医療用物品を提供する工程と、
インディシアを備えている医療用物品固定システムを提供する工程と、を含み、
前記インディシアは、前記医療用物品の表示を含んでおり、
前記医療用物品を、前記インディシアと一致する向きに、前記医療用物品固定システムに対して方向付ける工程と、
前記医療用物品を前記医療用物品固定システムに連結する工程と、を含む方法。
[９]
前記医療用物品を前記ブラケットに連結する工程は、前記医療用物品の部分が前記医療用物品を表示する前記インディシアの部分に実質的と重なるように前記医療用物品を前記インディシアと整列させる工程を含む、項目８に記載の方法。
[１０]
前記医療用物品固定システムは、前記医療用物品の少なくとも一部分を保持するように構成されたブラケットを含み、
前記ブラケットは、基部を含み、
前記基部は、縦軸及び第１の主面と、前記基部に連結され、前記基部から上方へ前記基部の第１の主面に対して概ね垂直な方向に延在するポスト、及び前記基部の第１の主面と概ね平行に延在するアームのうちの少なくとも１つと、を有し、
前記ポストは、前記医療用物品が前記システムに連結されているときに前記医療用物品の少なくとも縦方向の移動を抑制するように配置されており、
前記アームは、前記医療用物品の少なくとも一部分を受容するように寸法決めされたチャネルを前記アームの下に画定するために前記基部の第１の主面から或る距離だけ離間して配置されており、
前記アームは、前記医療用物品が前記システムに連結されているときに少なくとも前記基部の第１の主面に概ね垂直な方向における前記医療用物品の移動を抑制するように構成されている、項目１に記載のインディシア、又は項目８又は９に記載の方法。
[１１]
前記医療用物品は、カテーテルハブ及びカテーテルを備えているカテーテルシステムを含み、前記インディシアは、前記ポストに隣接して位置するカテーテルハブの表示と、前記アームの下を通過するカテーテルの表示と、を含む、項目１０に記載のインディシア、項目７に記載のシステム、又は項目１０に記載の方法。
[１２]
前記インディシアの少なくとも一部分は、前記ポストに隣接して位置する、項目１０若しくは１１に記載のインディシア、項目７若しくは１１に記載のシステム、又は項目１０若しくは１１に記載の方法。
[１３]
前記インディシアの少なくとも一部分は、前記アームに隣接して位置する、項目１０〜１２のうちのいずれかに記載のインディシア、項目７、１１及び１２のうちのいずれかに記載のシステム、又は実施形態１０〜１２のうちのいずれかに記載の方法。
[１４]
前記ブラケットは、アームを含み、
前記基部は、前記アームに隣接して位置するランドを含み、それにより、前記医療用物品の少なくとも一部分は、前記医療用物品が前記ブラケットに連結されているときに前記ランドの上かつ前記アームの下を通されることができ、
前記インディシアの少なくとも一部分は、前記ランドに位置するか又は前記ランドに隣接して位置する、項目１０〜１３のうちのいずれかに記載のインディシア、項目７、１１及び１３のうちのいずれかに記載のシステム、又は項目１０〜１３のうちのいずれかに記載の方法。
[１５]
前記インディシアは、前記医療用物品の視覚表示を含む、項目１、１０及び１１〜１４のうちのいずれかに記載のインディシア、実施形態２〜７及び１１〜１４のうちのいずれかに記載のシステム、又は実施形態８〜１４のうちのいずれかに記載の方法。
【手続補正２】
【補正対象書類名】特許請求の範囲
【補正対象項目名】全文
【補正方法】変更
【補正の内容】
【特許請求の範囲】
【請求項１】
医療用物品固定システムと共に使用するためのインディシアであって、前記インディシアは、医療用物品の表示を備え、それにより、前記インディシアは、前記医療用物品の外観を模倣するとともに、前記医療用物品を前記医療用物品固定システムに連結するための視覚的キューを提供する、インディシア。
【請求項２】
医療用物品固定システムであって、
前記システムは、医療用物品を受容するように構成されたブラケットを備え、
前記ブラケットは、インディシアを備え、
前記インディシアは、医療用物品の外観を模倣するとともに、前記医療用物品を前記ブラケットに連結するための視覚的キューを提供する、医療用物品の表示を備える、システム。
【請求項３】
前記インディシアは、前記ブラケットに対する前記医療用物品の向きを画定する、請求項２に記載のシステム。